(57)【要約】【課題】異系列の記録紙のサイズに対応する複数のページを含む文書を印刷する場合に、ユーザが所望する系列の記録紙へ容易に印刷すること。【解決手段】複合機１００のＣＰＵ１０１は、表示／操作部１０２から印刷データに含まれる異系列の記録紙のサイズに対応するページを同系列のサイズの記録紙に揃えて印刷する場合に、いずれの系列に揃えるかの設定を受け付け、印刷データのページ毎に、そのページを印刷する記録紙を、前記設定された系列の記録紙から選択するように制御する。【選択図】図１
2011137894.tif 000002
【特許請求の範囲】
【請求項１】
異系列の記録紙のサイズに対応する複数のページを含む印刷データを入力可能な入力手段と、
前記入力手段により入力された印刷データの各ページを記録紙に印刷する印刷手段と、
印刷データに含まれる前記異系列の記録紙のサイズに対応するページを同系列のサイズの記録紙に揃えて印刷する場合に、いずれの系列に揃えるかを設定する設定手段と、
前記入力手段により入力された印刷データのページ毎に、そのページを印刷する記録紙を、前記設定手段により設定された系列の記録紙を選択して印刷するように前記印刷手段を制御する制御手段と、
を有することを特徴とする画像形成装置。
【請求項２】
前記制御手段は、前記設定手段により設定された系列と異なる系列のサイズのページを印刷する記録紙を選択して印刷する場合であって、前記ページのサイズが選択できる記録紙のサイズより大きい場合、前記ページを印刷する記録紙として、前記ページを分割して複数の記録紙に等倍で印刷可能な複数の記録紙を選択し、該選択された複数の記録紙に前記ページを分割して等倍で印刷するように前記印刷手段を制御することを特徴とする請求項１に記載の画像形成装置。
【請求項３】
前記制御手段は、前記設定手段により設定された系列と異なる系列のサイズのページを印刷する記録紙を選択して印刷する場合であって、前記ページのサイズが選択できる記録紙のサイズより大きい場合、前記ページを印刷する記録紙として、選択できる最大サイズの記録紙を選択し、該選択された記録紙に前記ページを縮小して印刷するように前記印刷手段を制御することを特徴とする請求項１に記載の画像形成装置。
【請求項４】
前記制御手段は、前記設定手段により設定された系列と異なる系列のサイズのページを印刷する記録紙を選択する場合であって、前記ページのサイズが選択できる記録紙のサイズより小さい場合、前記ページを印刷する記録紙として、前記ページを等倍で印刷可能な記録紙を選択し、該選択された記録紙に前記ページを分割して等倍で印刷するように前記印刷手段を制御することを特徴とする請求項１乃至３のいずれか１項に記載の画像形成装置。
【請求項５】
前記制御手段は、前記印刷データの各ページの印刷時にそのページの記録紙選択を行う、又は、前記印刷データの全ページの記録紙選択を行った後に前記全ページの印刷を行うように制御することを特徴とする請求項１乃至４のいずれか１項に記載の画像形成装置。
【請求項６】
前記印刷手段により印刷された記録紙に対して後処理を行う後処理手段をさらに備え、
前記後処理手段による後処理の実行の有無を設定する後処理設定手段と、
前記制御手段は、前記後処理設定手段により後処理を実行することが設定されている場合に、前記設定手段により設定された系列の記録紙を選択して印刷することを特徴とする請求項１乃至５のいずれか１項に記載の画像形成装置。
【請求項７】
前記後処理は、ステープル処理、パンチ穿孔処理、又は、製本処理であることを特徴とする請求項６に記載の画像形成装置。
【請求項８】
前記印刷データは、ファクシミリ受信データ、原稿を光学的に読み取ることにより生成された画像データ、又は、外部装置から入力されたプリントデータであることを特徴とする請求項１乃至７のいずれか１項に記載の画像形成装置。
【請求項９】
異系列の記録紙のサイズに対応する複数のページを含む印刷データを入力可能な入力手段と、前記入力手段により入力された印刷データの各ページを記録紙に印刷する印刷手段とを有する画像形成装置の制御方法であって、
印刷データに含まれる前記異系列の記録紙のサイズに対応するページを同系列のサイズの記録紙に揃えて印刷する場合に、いずれの系列に揃えるかの設定を受け付ける設定ステップと、
前記入力手段により入力された印刷データのページ毎に、そのページを印刷する記録紙を、前記設定ステップで設定された系列の記録紙を選択して印刷するように制御する記録紙選択ステップと、
を有することを特徴とする画像形成装置の制御方法。
【請求項１０】
請求項９に記載の画像形成装置の制御方法を、コンピュータに実行させるためのプログラム。
【発明の詳細な説明】
【技術分野】
【０００１】
本発明は、画像形成装置、画像形成装置の制御方法、及び、プログラムに関するものである。
【背景技術】
【０００２】
コピー、プリンタ、スキャナ、ファクシミリ（ＦＡＸ）などの画像通信などの機能を有する複合機が多く使われている。オフィスなどで主に使われる複合機は、複数種類の記録紙をセット出来、用途に応じて様々なサイズの記録紙への記録が行われる。
【０００３】
しかし、様々なサイズ、特に、異系列のサイズ（Ａ４、Ａ３などのＡ系列サイズとＢ５、Ｂ４などのＢ系列のサイズ）の記録紙へ記録したページが混在するものは、記録紙の両辺のサイズが異なるため、扱い辛いものとなってしまう。
【０００４】
また、上述のような複合機は、記録した記録紙を束ねるためのステープル装置や、記録紙にパンチ穴を開けるパンチ穿孔装置、記録紙を製本する製本装置等を利用可能である。しかし、上述のようなページが混在する記録紙束は、ステープル処理や、パンチ穿孔処理、製本処理を行う際には、さらに扱い辛いものとなってしまう。
【０００５】
これらを解決する手段として、特許文献１が提案されている。これは、複数の記録紙に記録する時に、最初に検知したサイズの系列に統一して記録したり、全文書中、最大サイズの記録紙の系列に統一して記録するものである。この技術により、記録紙の系列を揃えられ、同系列であるため、記録紙の一辺は同サイズとなる。このため、これらの記録紙を扱いやすく束ねることができる。
【先行技術文献】
【特許文献】
【０００６】
【特許文献１】特開平１１−１０９６９１号公報
【発明の概要】
【発明が解決しようとする課題】
【０００７】
しかし、上記従来例では、同系列の記録紙への記録は可能になるが、その方法は、最初に検知されたサイズの系列に統一するか、全文書中の最大サイズの記録紙の系列に統一するものである。このため、従来の方法では、必ずしもユーザの所望とする系列の記録紙に印刷されるわけではなかった。
【０００８】
このような出力物は、ファイリングされる場合が多いが、出力物のサイズ系列がファイルのサイズ系列と異なってしまうことがある。当然、異なる系列の記録紙をファイルすることは困難となる。
【０００９】
さらに、ファイルのサイズ系列に合わせるためには、再度、ユーザが出力をやり直す必要があるが、このような作業は、二度手間となり、更に記録紙を無駄に消費してしまうことになる。また、出力した画像が、通信で受信した画像（例えば、ＦＡＸ受信画像）であれば、印刷文書がオリジナル画像となる。このため、これを再度、希望する系列サイズにあわせるためには、拡大／縮小などを行って印刷文書をコピーする必要があり、非常に煩雑であった。また、この場合、記録紙の無駄な消費となるだけではなく、コピー生成された印刷物は、孫コピーになるため、画質が落ち見づらくなるなどの問題点もあった。
【００１０】
本発明は、上記の問題点を解決するためになされたもので、本発明の目的は、異系列の記録紙のサイズに対応する複数のページを含む文書を印刷する場合に、ユーザが所望する系列の記録紙へ容易に印刷することができる仕組みを提供することである。
【課題を解決するための手段】
【００１１】
本発明は、異系列の記録紙のサイズに対応する複数のページを含む印刷データを入力可能な入力手段と、前記入力手段により入力された印刷データの各ページを記録紙に印刷する印刷手段と、印刷データに含まれる前記異系列の記録紙のサイズに対応するページを同系列のサイズの記録紙に揃えて印刷するか否か、及び、同系列のサイズの記録紙に揃えて印刷する場合に、いずれの系列に揃えるかを設定する記録紙サイズ系列設定手段と、前記記録紙サイズ系列設定手段により同系列の記録紙に揃えて印刷する設定がなされている場合、前記入力手段により入力された印刷データのページ毎に、そのページを印刷する記録紙を、前記記録紙サイズ系列設定手段により設定された系列の記録紙から選択するように制御する制御手段とを有することを特徴とする。
【発明の効果】
【００１２】
本発明によれば、異系列の記録紙のサイズに対応する複数のページを含む文書を印刷する場合に、ユーザが所望する系列の記録紙へ容易に印刷することができる。
【図面の簡単な説明】
【００１３】
【図１】本発明で用いる複合機の内部構成を表すブロック図である。
【図２】複合機の外観図である。
【図３】表示／操作部に表示される設定画面の一例を示す図である。
【図４】複合機の動作を示すフローチャートである。
【図５】複合機内の記憶装置に記憶されるページ毎のサイズを格納するテーブルの一例を示す図である。
【発明を実施するための形態】
【００１４】
以下、本発明を実施するための形態について図面を用いて説明する。
【実施例１】
【００１５】
図１は、本発明で用いる複合機の内部構成を表すブロック図である。
図１において、１００は本発明の画像形成装置としての複合機である。１０１はＣＰＵであり、ＲＯＭ１０５に格納された制御プログラムに基づいて複合機１００における各デバイスを制御するプロセッサである。
【００１６】
１０２は表示／操作部であり、その表示部には、例えばウインドウ、アイコン、メッセージ、メニューその他のユーザインターフェース情報が表示される。表示／操作部１０２は、図示しないが、ユーザがコピー、ファクシミリ（ＦＡＸ）、プリンタ操作を行うための各種キーや、画面（ＬＣＤ等）、画面ポインティングデバイス（タッチパネル等）から構成される。なお、画面ポインティングデバイスは、画面上に表示されるアイコン、メニューなどをタッチ操作するためのものである。
【００１７】
１０３はスキャナ部であり、原稿の読み取りを行う。１０４は印刷部であり、ＲＡＭ１０６やＨＤＤ（ハードディスクドライブ）１０７に保存した印刷データの印刷を行う。１０５はＲＯＭであり、各種制御プログラムやデータを保持する。１０６はＲＡＭであり、ＣＰＵ１０１のワーク領域、エラー処理時のデータの退避領域、制御プログラムのロード領域などを有する。１０７はＨＤＤであり、各種制御プログラムや印刷データ、各種設定情報等を保存する。
【００１８】
１０８はネットワークＩ／Ｆ部であり、ネットワーク１１１に接続され、ネットワーク１１１を介してを他の端末と通信を行うことができ、またネットワークを介してＰＣなどからのプリントジョブを受け取る。１０９はファクス通信制御部であり、ファクス通信を電話回線１１０を介して行う。
以上のような構成により、複合機１００は、異系列の記録紙のサイズに対応する複数のページを含むファクシミリ受信データをファクス通信制御部１０９を介して入力可能である。また、複合機１００は、異系列の記録紙のサイズに対応する複数のページを含むプリントデータをネットワークＩ／Ｆ部１０８を介して外部の装置（パーソナルコンピュータ等）から入力可能である。また、複合機１００は、異系列の記録紙のサイズに対応する複数のページを含む原稿を光学的に読み取ることにより生成された画像データをスキャナ部１０３から入力可能である。また、複合機１００は、異系列の記録紙のサイズに対応する複数のページを含む画像データをＨＤＤ１０７のボックス領域から入力可能である。
【００１９】
図２は、複合機１００の外観図である。
図２に示すように、複合機１００は、２０２〜２０６に示すように、記録紙を格納する記録紙カセットを複数備えている。例えば、カセット２０２は、大容量のカセットで、通常良く使うＡ４サイズの記録紙等が格納される。また、カセット２０４やカセット２０５は、Ａ４サイズの記録紙の他、Ａ３サイズやＢ４サイズ等の大きいサイズの記録紙が格納可能である。
本実施例では、例えば、カセット２０２にＡ４サイズ、カセット２０４にＡ３サイズ、カセット２０５にＢ４サイズ、カセット２０３にＢ５サイズ、カセット２０６にＡ４サイズ（上質紙）の記録紙がそれぞれ格納されているものとする。
なお、複合機１００では、記録（プリント）時に、各カセットから最適な記録紙が選択される構成となっている。この記録紙選択方法については後述する。
【００２０】
次に、図３、図４を参照して、複合機１００の動作について説明する。
なお、ここからは、ＦＡＸやインターネットＦＡＸ等の通信による受信文書のプリント（以下、「受信プリント」という）を例にして説明する。さらに、記録紙のサイズ系列を統一する場面についてはステープルを行う場面を例として説明する。本実施例の複合機１００は、複数枚プリントを行う場合（複数の印刷ページを含む印刷ジョブを実行する場合）に、記録紙を同系列のサイズに統一する場合、その統一する系列を予めユーザが選択可能にしたものである。以下、この構成について説明する。
【００２１】
図３は、表示／操作部１０２に表示される設定画面の一例を示す図である。
図３（ａ）は複数枚受信プリント時のステープル設定画面である。また、図３（ｂ）は複数枚受信プリントステープル時の記録紙サイズ系列設定画面である。
図３（ａ）のステープル設定画面において、ユーザは、複数枚受信プリント時にステープル処理の実行の有無を設定することができる。選択肢としては、「する」３０１、「しない」３０２がある。ここで、「する」３０１が選択された場合は、ステープル処理を行う設定がなされ（ステープル処理を行う設定であることがステープル設定情報としてＨＤＤ１０７に記憶され）、図３（ｂ）の記録紙サイズ系列設定画面が表示される。また、「しない」３０２が選択された場合は、ステープル処理を行わない設定がなされ（ステープル処理を行わない設定であることがステープル設定情報としてＨＤＤ１０７に記憶され）、図３（ｂ）の記録紙サイズ系列設定画面は表示されない。
【００２２】
図３（ｂ）の記録紙サイズ選択画面において、ユーザは、複数枚受信プリントステープル時に、同系列のサイズの記録紙に揃えて印刷するか否か、及び、同系列のサイズの記録紙に揃えて印刷する場合に、いずれの系列に揃えるかを選択設定することができる。選択肢としては、「Ａ系列に揃える」３０３、「Ｂ系列に揃える」３０４、「系列を揃えない」３０５がある。ここで、「Ａ系列に揃える」３０３が選択された場合は、記録紙サイズをＡ系列に揃える設定がなされる（記録紙サイズをＡ系列に揃える設定であることが記録紙サイズ系列設定情報としてＨＤＤ１０７に記憶される）。そして、受信プリントを開始した際には、後述の記録紙選択ロジックにより、Ａ系列の記録紙へ記録されるように制御されることになる。また、「Ｂ系列に揃える」３０４が選択された場合は、記録紙サイズをＢ系列に揃える設定がなされる（記録紙サイズをＢ系列に揃える設定であることが記録紙サイズ系列設定情報としてＨＤＤ１０７に記憶される）。そして、受信プリントを開始した際には、後述の記録紙選択ロジックにより、Ｂ系列の記録紙へ記録されるように制御されることになる。また、「系列を揃えない」３０５が選択された場合は、記録紙サイズの系列を揃えない設定がなされる（記録紙サイズの系列を揃えない設定であることが記録紙サイズ系列設定情報としてＨＤＤ１０７に記憶される）。そして、受信プリントを開始した際には、受信した文書に対応するサイズの記録紙が記録紙サイズの系列に関係なく選択される。よって、この場合、異系列の記録紙サイズに対応する複数のページを含む文書の印刷は、異系列の記録紙が混在した状態で記録されることになる。
【００２３】
図４は、複合機１００の動作を示すフローチャートである。なお、このフローチャートの処理は、ＣＰＵ１０１がＲＯＭ又はＨＤＤ１０７に記録されたプログラムを読み出して実行することにより実現される。
複合機１００のＣＰＵ１０１は、ＦＡＸやインターネットＦＡＸなどの通信により受信し（全ページ受信済み）、該受信した文書の印刷（受信文書に対応する印刷データを印刷する印刷ジョブ）を開始するタイミングで、本フローチャートの処理を開始する。
【００２４】
まず、ステップＳ１において、ＣＰＵ１０１は、上記印刷ジョブが、複数枚のプリントを行うものか（複数の印刷ページを含むものか）どうかを判断する。そして、上記ステップＳ１で、印刷ジョブが複数枚のプリントを行わない（１枚のみのプリントを行う）ものであると判断した場合（Ｓ１でＮｏ）、ＣＰＵ１０１は、ステップＳ２へ処理を進める。
【００２５】
ステップＳ２では、ＣＰＵ１０１は、受信した文書と同一のサイズの記録紙（印刷ページと同一サイズの記録紙）を選択処理する。なお、同一のサイズの記録紙が存在しない場合には、縮小して印刷可能な記録紙又は等倍で分割して印刷可能な２枚の記録紙を選択するようにしてもよい。次に、ＣＰＵ１０１は、ステップＳ３において、上記ステップＳ２で選択した記録紙に対して、受信した文書（印刷ページ）を印刷出力し（ページ出力し）、本フローチャートの処理を終了する。
【００２６】
一方、上記ステップＳ１で、印刷ジョブが複数枚のプリントを行うものであると判断した場合（Ｓ１でＹｅｓ）、ＣＰＵ１０１は、ステップＳ４へ処理を進める。この場合、ＣＰＵ１０１は、ステップＳ４〜Ｓ１０のループで、印刷ジョブの各印刷ページを順次処理するものとする。
【００２７】
まず、ステップＳ４では、ＣＰＵ１０１は、ステープル処理を行う設定になっているか判断する。本実施例の場合、ＣＰＵ１０１は、ＨＤＤ１０７からステープル設定情報を読み出し、ステープル処理を行う設定になっているか判断する。そして、上記ステップＳ４で、ステープル処理を行う設定でないと判断した場合（Ｓ４でＮｏ）、ＣＰＵ１０１は、ステップＳ５へ処理を進める。
【００２８】
ステップＳ５では、ＣＰＵ１０１は、印刷ジョブ内の現在処理している印刷ページのサイズと同一の記録紙を選択処理し、ステップＳ６に処理を進める。なお、同一のサイズの記録紙が存在しない場合には、縮小して印刷可能な記録紙又は等倍で印刷可能な２枚の記録紙を選択するようにしてもよい。ステップＳ６では、ＣＰＵ１０１は、上記ステップＳ５で選択した記録紙に対して、印刷ジョブ内の現在処理している印刷ページを印刷出力し、ステップＳ１０に処理を進める。ステップＳ１０では、ＣＰＵ１０１は、印刷ジョブの全ページ出力済みかどうか判断する。そして、まだ全ページ出力済みでないと判断した場合（Ｓ１０でＮｏ）、ＣＰＵ１０１は、ステップＳ４へ処理を戻し、以下、ステップＳ４、Ｓ５、Ｓ６、Ｓ１０と動作し、全ページ出力するまで繰り返す。一方、上記ステップＳ１０で、全ページ出力済みと判断した場合（Ｓ１０でＹｅｓ）、ＣＰＵ１０１は、ステップＳ１１において、再度、ＨＤＤ１０７から第１設定情報を読み出してステープル処理を行う設定になっているか判断する。上述のようにステップＳ４でＮｏと判断されてステップＳ１１に進んだ場合、ステープル処理を行う設定でないため（Ｓ１１でＮｏ）、ＣＰＵ１０１は、ステープル処理は行わずに、本フローチャートの処理を終了する。
【００２９】
また、上記ステップＳ４で、ステープル処理を行う設定と判断した場合（Ｓ４でＹｅｓ）、ＣＰＵ１０１は、ステップＳ７へ処理を進める。
ステップＳ７では、ＣＰＵ１０１は、記録紙を同系列に揃える設定になっているかどうかを判断する。本実施例では、ＣＰＵ１０１は、ＨＤＤ１０７から記録紙サイズ系列設定情報を読み出し、記録紙を同系列に揃える設定になっているかどうかを判断する。そして、上記ステップＳ７で、記録紙を同系列に揃える設定でないと判断した場合（Ｓ７でＮｏ）、ＣＰＵ１０１は、ステップＳ５、Ｓ６、Ｓ１０、Ｓ４、Ｓ７、Ｓ５、Ｓ６、Ｓ１０の処理を全頁出力するまで繰り返す。一方、上記ステップＳ１０で、全ページ出力済みと判断した場合（Ｓ１０でＹｅｓ）、ＣＰＵ１０１は、ステップＳ１１にて、再度、ステープル処理を行う設定になっているか判断する。上述のようにステップＳ４でＹｅｓと判断されてステップＳ１１に進んだ場合、ステープル処理を行う設定になっているため（Ｓ１１でＹｅｓ）、ＣＰＵ１０１は、ステップＳ１２において、ステープル処理を行い、処理を終了する。
【００３０】
また、上記ステップＳ７で、記録紙を同系列に揃える設定になっていると判断した場合（Ｓ７でＹｅｓ）、ＣＰＵ１０１は、ステップＳ８へ処理を進める。
ステップＳ８では、ＣＰＵ１０１は、上記記録紙を同系列に揃える設定にて指定された系列の記録紙を選択処理する。なお、この記録紙の選択ロジックは後述する。
次に、ステップＳ９において、ＣＰＵ１０１は、上記ステップＳ８で選択した記録紙に対して、印刷ジョブの現在処理しているページを印刷出力し、ステップＳ１０に処理を進める。ステップＳ１０では、ＣＰＵ１０１は、全ページ出力済みかどうかを判断し、全ページ出力済みでないと判断した場合、ステップＳ４へ処理を戻し、以下、ステップＳ４、Ｓ７、Ｓ８、Ｓ９、Ｓ１０と動作し、全ページ出力するまで繰り返す。そして、上記ステップＳ１０で、全ページ出力済みと判断した場合（Ｓ１０でＹｅｓ）、ＣＰＵ１０１は、ステップＳ１１において、再度、ステープルが指定されているか判断する。上述のようにステップＳ４でＹｅｓと判断されてステップＳ１１に進んだ場合、ステープル処理を行う設定になっているため（Ｓ１１でＹｅｓ）、ＣＰＵ１０１は、ステップＳ１２において、ステープル処理を行い、処理を終了する。
【００３１】
なお、上述の例では、ＦＡＸ等の受信プリントの印刷ジョブの処理を例に説明した。しかし、本発明は、受信プリント以外の印刷ジョブにも適用可能である。例えば、パーソナルコンピュータ（ＰＣ）からネットワークＩ／Ｆ部１０８等を介して受信した印刷ジョブにも本発明を適用可能である。また、スキャナ部１０３から原稿を光学的に読み取ることにより生成された原稿データをプリントするコピー印刷ジョブや、ＨＤＤ１０７に格納された印刷データを印刷するボックスプリントジョブ等の他の印刷ジョブにも本発明を適用可能である。
これらの印刷ジョブの場合、図４のステップＳ４、１１のステープル処理を行うか否かの判断では、ＣＰＵ１０１は、印刷ジョブに含まれるステープル設定に基づいて、ステープル処理を行う設定になっているか否かを判断するものとする。
また、図４のステップＳ７の判断は、ＣＰＵ１０１が、印刷ジョブに含まれる記録紙サイズ系列設定に基づいて判断する構成でも、上述のようにＨＤＤ１０７に保持される記録紙サイズ系列設定情報に基づいて判断する構成でもよい。
【００３２】
なお、ＰＣからの印刷ジョブの場合、ＰＣのＣＰＵがＰＣ上のプリンタドライバの印刷設定画面から図３（ｂ）のような画面を表示し、印刷ジョブに記録紙サイズ系列設定を行うことを可能にするものとする。また、コピー印刷ジョブの場合、表示／操作部１０２のコピー設定画面に図３（ｂ）のような画面を表示し、コピー印刷ジョブに記録紙サイズ系列設定を行うことを可能にするものとする。さらに、ボックスプリントジョブの場合、表示／操作部１０２のボックスプリント設定画面に図３（ｂ）のような画面を表示し、ボックスプリント印刷ジョブに記録紙サイズ系列設定を行うことを可能にするものとする。
【００３３】
また、上述の例では、印刷ジョブの後処理設定としてステープル処理を用いて説明した。しかし、印刷ジョブの後処理設定は、ステープル処理のみでなく、印刷済みの記録紙にパンチ穴を開けるパンチ穿孔処理、製本処理等の他の後処理設定の場合でも同様に、本発明を適用可能である。
この場合、図３（ａ）で、「複数枚受信プリント時のステープル処理」の設定の代わりに、「複数枚受信プリント時のパンチ穿孔処理」や「複数枚受信プリント時の製本処理」の設定を行うように構成する。また、図４のステップＳ４、１１の「ステープル処理」を「パンチ穿孔処理」や「製本処理」に置き換えて、図４のステップＳ４、１１を判断するものとする。
【００３４】
以上のように、ＦＡＸ等の通信手段で受信した文書を印刷する場合のみでなく、ＰＣからの印刷ジョブ、コピー印刷ジョブ、ボックスプリントジョブ等の一般的な印刷機能でも、本発明は適用可能である。
また、ステープル処理のみでなく、パンチ穿孔処理や製本処理等の一般的な後処理機能でも、本発明は適用可能である。
【００３５】
〔図４のステップＳ８の記録紙選択ロジックに関する説明〕
次に、ステップＳ８で行われる記録紙選択ロジックに関して説明する。
ここでは、記録紙のサイズ系列の例としてＡ系列、Ｂ系列を用いて説明する。しかし、本発明を適用可能な記録紙のサイズ系列は、Ａ系列、Ｂ系列に限られるものではなく、Ａ系列、Ｂ系列以外のサイズ系列にも本発明は適用可能である。
【００３６】
（１）＜Ａ系列に揃える設定で、印刷ジョブの最初のページがＡ系列であった場合＞
複合機１００は、印刷ジョブの最初のページで指定されたＡ系列（例えばＡ３又はＡ４）で出力を開始し、途中、サイズの異なるサイズのページがあっても、これが同系列であれば、そのページと同サイズの記録紙を選択して出力する。
例）ページサイズ：Ａ４→Ａ４→Ａ３→Ａ４＝＞記録紙サイズ：Ａ４→Ａ４→Ａ３→Ａ４
ページサイズ：Ａ３→Ａ４→Ａ４→Ａ３＝＞記録紙サイズ：Ａ３→Ａ４→Ａ４→Ａ３
【００３７】
（２）＜Ｂ系列に揃える設定で、印刷ジョブの最初のページがＢ系列であった場合＞
複合機１００は、最初のページで指定されたＢ系列（Ｂ４又はＢ５）で出力を開始し、途中、サイズの異なるページがあっても、これが同系列であれば、そのページサイズと同サイズの記録紙を選択して出力する。
例）ページサイズ：Ｂ５→Ｂ５→Ｂ４→Ｂ５＝＞記録紙サイズ：Ｂ５→Ｂ５→Ｂ４→Ｂ５
ページサイズ：Ｂ４→Ｂ５→Ｂ５→Ｂ４＝＞記録紙サイズ：Ｂ４→Ｂ５→Ｂ５→Ｂ４
【００３８】
（３）＜Ａ系列に揃える設定で、印刷ジョブの最初のページがＢ系列であった場合＞
最初のページのサイズより大きなサイズのＡ系列の記録紙を選択しこれに出力する。
例）最初のページのサイズ：Ｂ５＝＞Ａ４を選択
最初のページのサイズ：Ｂ４＝＞Ａ３を選択
途中、サイズの異なるページであっても、これがＢ系列であれば最初のページのサイズと同様なロジックで記録紙を選択し出力する。
例）ページサイズ：Ｂ５→Ｂ５→Ｂ４→Ｂ５＝＞記録紙サイズ：Ａ４→Ａ４→Ａ３→Ａ４
ページサイズ：Ｂ４→Ｂ５→Ｂ５→Ｂ４＝＞記録紙サイズ：Ａ３→Ａ４→Ａ４→Ａ３
【００３９】
（４）＜Ｂ系列に揃える設定で、印刷ジョブの最初のページがＡ系列であった場合＞
最初のページのサイズより大きなサイズのＢ系列の記録紙を選択しこれに出力する。また、ページサイズがＢ系列の最大のサイズより大きいＡ系列の場合、そのページを等倍で複数の記録紙に分割記録できるＢ系列の記録紙を複数枚（２枚）選択するか、若しくは、Ｂ系列の最大サイズの記録紙にそのページの画像を縮小して出力する。
例）最初のページのサイズ：Ａ４＝＞Ｂ４を選択
最初のページのサイズ：Ａ３＝＞Ｂ４×２（２枚のＢ４記録紙に等倍出力）、又は、Ｂ４（縮小出力）を選択
途中、サイズの異なるページがあっても、これがＡ系列であれば最初のページと同様なロジックで記録紙を選択し出力する。
例）ページサイズ：Ａ４→Ａ４→Ａ３→Ａ４＝＞記録紙サイズ：Ｂ４→Ｂ４→Ｂ４×２（２枚のＢ４記録紙に縮小分割出力）→Ｂ４
ページサイズ：Ａ３→Ａ４→Ａ４→Ａ３＝＞記録紙サイズ：Ｂ４×２（２枚のＢ４記録紙に縮小分割出力）→Ｂ４→Ｂ４→Ｂ４×２（２枚のＢ４記録紙に縮小分割出力）
【００４０】
（５）＜Ａ系列に揃える設定で、印刷ジョブの途中でＢ系列のサイズにページがあった場合＞
最初のページの記録紙サイズの決定は（１）〜（４）と同じ。
途中で、Ｂ系列のサイズの異なるページがあれば、このページをＡ系列の記録紙で等倍記録できるものを選択して出力する。
例）ページサイズ：Ａ４→Ａ４→Ｂ４→Ｂ５＝＞記録紙サイズ：Ａ４→Ａ４→Ａ３→Ａ４
ページサイズ：Ａ３→Ａ４→Ｂ５→Ｂ４＝＞記録紙サイズ：Ａ３→Ａ４→Ａ４→Ａ３
【００４１】
（６）＜Ｂ系列に揃える設定で、印刷ジョブの途中でＡ系列のサイズのページがあった場合＞
最初のページの記録紙サイズの決定は（１）〜（４）と同じ。
途中で、Ａ系列のサイズの異なるページがあれば、このページをＢ系列の記録紙で等倍記録できるもの、若しくは、Ｂ系列の最大記録紙サイズを選択して等倍分割記録するか縮小記録する。
例）ページサイズ：Ｂ５→Ｂ５→Ａ３→Ａ４＝＞記録紙サイズ：Ｂ５→Ｂ５→Ｂ４×２（２枚のＢ４記録紙に等倍分割出力）→Ｂ４
ページサイズ：Ｂ４→Ｂ５→Ａ４→Ａ３＝＞記録紙サイズ：Ｂ４→Ｂ５→Ｂ４→Ｂ４×２（２枚のＢ４記録紙に縮小分割出力）
【００４２】
以上説明してきたように、本発明での記録紙選択ロジックは下記になる。
・揃える系列と同系列のページサイズの場合＝＞ページサイズと同じサイズの記録紙を選択。
・揃える系列と異系列のページサイズの場合＝＞ページサイズの画像を等倍で出力可能な異系列のサイズの記録紙を選択。なお、等倍記録が出来ない、又は、ページサイズ＞記録紙サイズの場合は、２枚の記録紙に等倍で分割記録するか、又は、最大の記録紙サイズを選択しこれに画像を縮小して１枚に出力する。
【００４３】
〔印刷ジョブの全ページの記録紙を選択後にプリントする例の説明〕
通常、ビジネス向けの複合機などの画像形成装置では、受信した文書を全てメモリやハードディスクなどの記憶媒体に全て蓄積し、全て蓄積し終わってから、プリントするものが主流である。このような画像形成装置では、プリント前に、上述の記録紙選択ロジックで、全ページを印刷する記録紙を決定しておき、その後、この決定に従って、全ページをプリントするように構成してもよい。以下、その実施例について説明する。
【００４４】
図５は、複合機１００内の記憶装置（ＲＡＭ１０６又はＨＤＤ１０７）に記憶されるページ毎の記録紙サイズを格納するサイズ記憶テーブルの一例を示す図である。
特に、図５（ａ）は上記サイズ記憶テーブルに印刷ジョブのページ毎のサイズが格納されている記録紙選択前の状態を示す。また、図５（ｂ）はサイズ記憶テーブルにページ毎の印刷に使用する記録紙サイズが格納されている記録紙選択後の状態を示す。
【００４５】
図５（ａ）に示す例は、４ページの文書が、Ａ４→Ａ３→Ｂ５→Ｂ４の順に並ぶ印刷ジョブの例に対応する。
印刷ジョブを受信すると、複合機１００のＣＰＵ１０１は、該受信した印刷ジョブのページサイズを、図５（ａ）に示すように、サイズ記憶テーブルに格納する。そして、ＣＰＵ１０１は、プリント前に、サイズ記憶テーブルに記憶された全ページのサイズに対して、上述の記録紙選択ロジックを用い、記録紙サイズ系列設定情報に設定された系列のサイズの記録紙を選択し、サイズ記憶テーブルに上書き格納する。
【００４６】
記録紙サイズ系列設定情報にＡ系列に揃える設定がなされている場合、図５（ａ）に示すページサイズＡ４→Ａ３→3fＢ５→Ｂ４は、図５（ｂ）に示すように、Ａ４→Ａ３→Ａ４→Ａ３と変換される。この実施例では、ＣＰＵ１０１は、全ページに対して印刷する記録紙のサイズをそれぞれ選択してテーブルに格納した後、このテーブルに従って記録紙を選択して、上記文書データをプリント出力するものとする。
【００４７】
〔ＦＡＸの代行受信プリントへの応用〕
次に、ＦＡＸの代行受信プリントへの本発明の応用に関して説明する。
ＦＡＸ機能の場合、遠隔地からの文書の受信になるため、出来る限り受信したものはプリント出力することが望まれる。
そこで、受信プリントを行う際に、最適なサイズの記録紙がなくても、プリント可能な記録紙があればこれに記録を行う、いわゆる代行受信プリント機能がある。
例えば、Ａ４サイズの５枚の受信があり、これをプリントする時に、Ａ４の記録紙が３枚しかない場合でも、Ａ４を３枚出力後、他にＡ３の記録紙があればＡ３の記録紙にプリントする。本発明は、この機能にも応用が可能であり、ファクシミリの代行受信プリントにおいて、受信サイズの記録紙が不足した場合でも、同系列の他のサイズの記録紙にプリントするように、記録紙を選択する記録紙選択ロジックにより選択する。即ち、ファクシミリの代行受信プリントにおいても、本実施例の記録紙選択ロジックを用いることにより、同様に記録紙の系列を揃えて出力することが可能である。
即ち、複数ページを有する印刷データを印刷する場合、該印刷データのページに対応するサイズの記録紙切れが発生した場合、同系列の他のサイズの記録紙を選択して、該ページを印刷出力する。
また、以上の説明では、各ページの印刷時にリアルタイムに（逐次）記録紙を選択する場合について述べたが、本発明はこの構成に限られるものではない。
【００４８】
以上説明したように、本発明によれば、統一する記録紙の系列のユーザ指定を可能としたため、異系列の記録紙のサイズに対応する複数のページを含む文書を印刷する場合であっても一度の印刷でユーザが希望する系列の記録紙へ容易に出力できる。
この結果、ユーザは、出力された文書を、所望のファイルへ容易にファイリングすることが可能となる。
さらに、従来のように、再度、印刷をやり直す必要もなく、記録紙を無駄にすることない。
また、従来のように、オリジナルの原稿を再出力する必要もなく、記録紙の無駄遣いを防止するだけではなく、きれいな画質で保存できるなどの効果がある。
【００４９】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
本発明の様々な例と実施例を示して説明したが、本発明の趣旨と範囲は、本明細書内の特定の説明に限定されるのではない。
また、上述した各実施例及びその変形例を有機的に組み合わせた構成も全て本発明に含まれるものである。
【符号の説明】
【００５０】
１００    画像記録装置
１０１    ＣＰＵ
１０２    表示／操作部
１０４    印刷部
２０２〜２０６    記録紙カセット
【図１】
2011137894.tif 000003
【図２】
2011137894.tif 000004
【図３】
2011137894.tif 000005
【図４】
2011137894.tif 000006
【図５】
2011137894.tif 000007